(57)【要約】      （修正有）【課題】省電力化および照明環境の快適性が向上される照明装置を提供する。【解決手段】照明装置１４は、室内の空間の全般を照明する複数個の第１の照明器具１５と、第１の照明器具１５の周辺に設けられ、自己が設けられる領域および他の第１の照明器具１５の領域で包囲される室内空間を照明する複数個の第２の照明器具１６と、外部情報を受信または検出し、外部情報に応じた制御信号を出力するセンサ装置３と、センサ装置３から出力された制御信号に応じて、室内空間が所定の照度となるように室内空間を包囲する領域に設けられた第２の照明器具１６の点灯状態を連動して制御する制御装置４Ｂとを具備する。【選択図】図７
2010257872.tif 000002
【特許請求の範囲】
【請求項１】
器具本体の中心に対して回転対称となる領域にそれぞれ光源を有し、天井に所定間隔を有して配設されて、前記各光源がそれぞれ前記各領域で包囲される室内空間を照明する複数個の照明器具と；  外部情報を受信または検出し、この外部情報に応じた制御信号を出力するセンサ装置と；  このセンサ装置から出力された制御信号に応じて、前記室内空間が所定の照度となるように前記各領域の光源の点灯状態を連動して制御する制御装置と；を具備していることを特徴とする照明装置。
【請求項２】
天井に所定の間隔を有して配設され、室内の空間の全般を照明する複数個の第１の照明器具と；  この第１の照明器具の周辺に、第１の照明器具の中心に対して回転対称となる領域にそれぞれ設けられ、自己が設けられる領域および他の第１の照明器具の領域で包囲される室内空間を照明する複数個の第２の照明器具と；  外部情報を受信または検出し、この外部情報に応じた制御信号を出力するセンサ装置と；  このセンサ装置から出力された制御信号に応じて、前記室内空間が所定の照度となるように前記室内空間を包囲する領域に設けられた前記第２の照明器具の点灯状態を連動して制御する制御装置と；を具備していることを特徴とする照明装置。
【請求項３】
前記照明器具は、相関色温度が異なる光源を配設しており、前記制御装置は、前記室内空間が所定の照度となるようにして、高色温度の光源の点灯開始から一定期間に亘って、高色温度の光源の出力を徐々に低下させ、低色温度の光源の出力を徐々に増加させるように制御することを特徴とする請求項１または２記載の照明装置。
【発明の詳細な説明】
【技術分野】
【０００１】
本発明は、事務所や店舗などの室内空間を照明する照明装置に関する。
【背景技術】
【０００２】
近年、地球温暖化対策や環境保全などの観点から、照明装置に対する省電力化が求められている。この省電力に対する事務所（オフィス）における照明手法として、室内空間の全般の照明、所謂アンビエント照明を行う全般照明器具と、作業面の机上面の照明、所謂タスク照明を行う局部照明器具とを備えた照明装置が知られている。この照明装置は、作業者に対する視環境を損なうことなく省電力化を図るものであり、不在席の机上面を照明する局部照明器具が消灯または減光されている。  
【０００３】
そして、局部照明器具が消灯または減光すると、全体的な照度の割には、天井全体が暗いような感覚となるので、これを改善した照明装置が提案されている（例えば特許文献１参照。）。この従来技術の照明装置は、基準モジュール内に配設され、所定の机上面照度のほぼ半分以下の照度となるように空間を照明する第１の照明器具と、第１の照明器具の周辺に複数配設され、少なくとも１つが選択されて空間を局所的に照明することのできる第２の照明器具とを具備するものであり、第１の照明器具により空間が全体的に暗くなることを防止しつつ、第２の照明器具により必要な部分の照度を確保しつつ、省エネルギーが図れるというものである。また、第１の照明器具は、基準モジュール内に配設されるので、汎用性が向上するとともに、新規の配置およびレイアウト変更などに容易に対応可能というものである。
【先行技術文献】
【特許文献】
【０００４】
【特許文献１】特開２０００−３５３４０７号公報（第２、４頁、第１図）
【発明の概要】
【発明が解決しようとする課題】
【０００５】
しかしながら、タスク照明（第２の照明器具）は、狭配光の照明であるので、作業者の人数分が必要である。この結果、レイアウト変更に手間や障害などが発生するおそれがあり、また、作業者の人数が増加すると、タスク照明の数量も増加して、省電力に対する効果が低下するという欠点を有する。また、作業者の頭上にタスク照明があると、作業面に頭の影が強く映るおそれがあり、照明環境の快適性が損なわれるという欠点を有する。  
【０００６】
本発明は、省電力化および照明環境の快適性が向上される照明装置を提供することを目的とする。
【課題を解決するための手段】
【０００７】
請求項１に記載の照明装置の発明は、器具本体の中心に対して回転対称となる領域にそれぞれ光源を有し、天井に所定間隔を有して配設されて、前記各光源がそれぞれ前記各領域で包囲される室内空間を照明する複数個の照明器具と；外部情報を受信または検出し、この外部情報に応じた制御信号を出力するセンサ装置と；このセンサ装置から出力された制御信号に応じて、前記室内空間が所定の照度となるように前記各領域の光源の点灯状態を連動して制御する制御装置と；を具備していることを特徴とする。  
【０００８】
本発明および以下の各発明において、特に言及しない限り、各構成は以下による。  
【０００９】
「器具本体の中心に対して回転対称となる領域」とは、各領域の光源により照明されるそれぞれの照明領域が器具本体の中心に対して回転対称であることを意味する。例えば、器具本体を中心に３等分するような３回回転対称、４等分する４回回転対称であってもよいし、それ以上に分割してもよい。また、２回回転対称の領域を複数個組み合わせてもよい。  
【００１０】
光源は、器具本体に直接設けられてもよく、他の部材を介して器具本体に設けられてもよい。また、光源は、器具本体の領域毎に、１個が設けられてもよく、複数個が設けられてもよい。光源は、領域毎に一括して点灯制御することができる。  
【００１１】
また、光源の種類は、特に限定されないが、省電力形の蛍光ランプ、ＬＥＤ（発光ダイオード）素子や有機ＥＬ（エレクトロルミネッセント）素子とするのが好ましい。  
【００１２】
「光源の点灯状態」とは、光源の点灯、消灯または調光を意味する。  
【００１３】
「所定間隔を有して配設される」とは、例えば、照明器具が直線状、曲線状、円状、楕円状、正四角形や長方形などの角状などに配設されていてもよいことを意味する。また、照明器具は、格子状に配設されることが好ましいが、千鳥状に配設されてもよい。  
【００１４】
「外部情報」とは、光源の点灯状態を制御するリモコン装置から送信された無線信号、人体から放射される赤外線、照明器具の周囲や被照射面などの照度（明るさ）や撮像信号などである。センサ装置は、それらを受信または検出する受信素子や受光素子を備える。  
【００１５】
本発明によれば、照明器具の各領域の光源は、それぞれ各領域で包囲される室内空間を照明するものであり、当該室内空間が所定の照度となるように当該室内空間を包囲する各領域の光源が連動して制御されるので、各作業者に対応したタスク照明を具備せず、作業者が増加しても作業者に対応したタスク照明を設ける必要がなく、これにより、省電力化されるとともに、レイアウト変更にも容易に対応しやすくなる。また、各光源が互いに異なる方向から室内空間を照明することになるので、作業面に作業者の影が映りにくくなる。  
【００１６】
請求項２に記載の照明装置の発明は、天井に所定の間隔を有して配設され、室内の空間の全般を照明する複数個の第１の照明器具と；この第１の照明器具の周辺に、第１の照明器具の中心に対して回転対称となる領域にそれぞれ設けられ、自己が設けられる領域および他の第１の照明器具の領域で包囲される室内空間を照明する複数個の第２の照明器具と；外部情報を受信または検出し、この外部情報に応じた制御信号を出力するセンサ装置と；このセンサ装置から出力された制御信号に応じて、前記室内空間が所定の照度となるように前記室内空間を包囲する領域に設けられた前記第２の照明器具の点灯状態を連動して制御する制御装置と；を具備していることを特徴とする。  
【００１７】
「第１の照明器具の中心に対して回転対称となる領域にそれぞれ設けられる第２の照明器具」とは、第２の照明器具により照明されるそれぞれの照明領域が第１の照明器具の中心に対して回転対称であることを意味する。  
【００１８】
第２の照明器具は、第１の照明器具に一体化するように設けられてもよく、第１の照明器具と別体に設けられるとともに、第１の照明器具と密接、近接あるいは所定の隙間を有して設けられてもよい。  
【００１９】
「第２の照明器具の点灯状態」とは、第２の照明器具に配設されている光源の点灯、消灯または調光を意味する。第１の照明器具に対しても同様である。  
【００２０】
制御装置は、センサ装置から出力された制御信号に応じて、第1の照明器具の点灯状態も制御可能に形成されてもよい。  
【００２１】
本発明によれば、複数個の第２の照明器具は、それぞれ第２の照明器具が設けられる領域で包囲される室内空間を照明するものであり、当該室内空間が所定の照度となるように当該第２の照明器具が連動して制御されるので、各作業者に対応したタスク照明を具備せず、作業者が増加しても作業者に対応したタスク照明を設ける必要がなく、これにより、省電力化されるとともに、レイアウト変更にも容易に対応しやすくなる。また、各第２の照明器具が互いに異なる方向から室内空間を照明することになるので、作業面に作業者の影が映りにくくなる。  
【００２２】
請求項３に記載の照明装置の発明は、請求項１または２記載の照明装置の発明において、前記照明器具は、相関色温度が異なる光源を配設しており、前記制御装置は、前記室内空間が所定の照度となるようにして、高色温度の光源の点灯開始から一定期間に亘って、高色温度の光源の出力を徐々に低下させ、低色温度の光源の出力を徐々に増加させるように制御することを特徴とする。  
【００２３】
高色温度の光源よりも相対的に色温度の低い光源は、目の疲労を軽減するので、長時間の視作業に対しては非常に有効である。しかし、新聞紙の閲覧などの短時間の視作業については、視対象がやや赤っぽく見えるので、高色温度の光源の照明下で見るよりもやや見えやすさが劣り、作業者を不快にさせるおそれがある。一方、低色温度よりも相対的に色温度の高い光源は、視作業における見えやすさに対しては非常に有効であるが、長時間の視作業に対しては目を疲労させるおそれがある。  
【００２４】
本発明によれば、光源が点灯開始した一定期間の前半では、室内空間を照明する全光量に対する高色温度の光源からの放射光の光量比率が大きいので、視環境における見えやすさが向上される。そして、一定期間の後半以降では、室内空間を照明する全光量に対する他方の低色温度の光源からの放射光の光量比率が大きくなるので、視環境における目の疲労が軽減されるようになる。
【発明の効果】
【００２５】
請求項１の発明によれば、室内空間を包囲する照明器具の各領域の光源の点灯状態が連動して制御されることにより、各作業者に対応したタスク照明を具備しなくすることができるので、室内における照明器具の数量を抑制することができて、省電力化を向上させることができるとともに、レイアウト変更にも容易に対応することができ、また、各光源が照射対象に対して異なる方向から照明することにより作業面に作業者の影が映りにくくなるので、照明環境の快適性を向上させることができる。  
【００２６】
請求項２の発明によれば、室内空間を包囲する第２の照明器具の点灯状態が連動して制御されることにより、各作業者に対応したタスク照明を具備しなくすることができるので、室内における第１および第２の照明器具の数量を抑制することができて、省電力化を向上させることができるとともに、レイアウト変更にも容易に対応することができ、また、各第２の照明器具が照射対象に対して異なる方向から照明することにより作業面に作業者の影が映りにくくなるので、照明環境の快適性を向上させることができる。  
【００２７】
請求項３の発明によれば、高色温度の光源の点灯開始から一定期間に亘って、高色温度の光源の出力を徐々に低下させ、低色温度の光源の出力を徐々に増加させるので、短時間の視作業においては、高色温度光の照明下で被対象物を視認することができ、長時間の視作業においては、低色温度光の照明下で被対象物を視認することができ、これにより、被対象物に対する見えやすさと目の疲労の軽減を両立した照明環境を提供することができる。
【図面の簡単な説明】
【００２８】
【図１】本発明の実施例１を示す照明装置の概略ブロック図。
【図２】同じく、照明器具の概略斜視図。
【図３】同じく、照明器具の配置図。
【図４】同じく、照明装置の制御を示す説明図。
【図５】同じく、照明装置の他の制御を示す説明図。
【図６】本発明の実施例２を示す照明装置の概略ブロック図。
【図７】本発明の実施例３を示す照明装置の概略ブロック図。
【図８】同じく、第１および第２の照明器具の概略斜視図。
【図９】同じく、第１および第２の照明器具の配置図。
【図１０】同じく、照明装置の第１の制御を示す説明図。
【図１１】同じく、照明装置の第２の制御を示す説明図。
【図１２】同じく、照明装置の第３の制御を示す説明図。
【図１３】同じく、照明装置の第４の制御を示す説明図。
【図１４】本発明の実施例４を示す照明装置の第１および第２の照明器具の概略斜視図。
【図１５】同じく、照明装置の制御を示す説明図。
【発明を実施するための形態】
【００２９】
以下、本発明の一実施の形態について、図面を参照して説明する。  
【００３０】
本発明は、光源が室内空間を広角配光で照明するとともに、当該室内空間を照明する光源の点灯状態を連動して制御することにより、室内空間を所定の照度で照明するものである。
【実施例１】
【００３１】
図１ないし図５は、本発明の実施例１を示し、図１は照明装置の概略ブロック図、図２は照明器具の概略斜視図、図３は照明器具の配置図、図４は照明装置の制御を示す説明図、図５は照明装置の他の制御を示す説明図である。  
【００３２】
図１において、照明装置１は、照明器具２、センサ装置３および制
御装置４を有して構成されている。照明器具２は、複数個からなり、それぞれ器具本体５にセンサ装置３、光源６および点灯装置７を配設している。器具本体５は、例えば略箱状に形成され、図２に示すように、その前面側に平坦状の金属例えばアルミニウム（Ａｌ）からなる基板８を取り付けている。そして、器具本体５は、基板８の表面８ａが天井面９ａと略面一となるように天井９に埋設されている。  
【００３３】
なお、本実施形態では、１つの光源６に対して対応する１つのセンサ装置３を具備しているが、図１ではまとめて１つのセンサ装置３として図示する。  
【００３４】
基板８の表面８ａは、その中心（器具本体５の中心）Ａ１に対して回転対称に４分割されて第１〜第４の領域１０ａ〜１０ｄが形成されている。すなわち、第１〜第４の領域１０ａ〜１０ｄは、前記中心Ａ１に対して２回回転対称の領域を２個組み合わせて形成されている。そして、基板８の表面８ａには、第１〜第４の領域１０ａ〜１０ｄ毎に、図示しない絶縁層を介して多数の光源としてのＬＥＤ（発光ダイオード）チップ６が整列的に実装されている。  
【００３５】
ＬＥＤチップ６は、可視光例えば白色光を放射するように形成されている。また、ＬＥＤチップ６は、主として基板８の外方側の方向に向かって光を放射するように形成されている。すなわち、ＬＥＤチップ６は、室内空間を広角配光で照明する。そして、ＬＥＤチップ６は、図示しない配線パターンにより直列接続または直並列接続されているとともに、第１〜第４の領域１０ａ〜１０ｄ毎に点灯装置７に接続されており、点灯装置７により第１〜第４の領域１０ａ〜１０ｄ毎に点灯制御される。  
【００３６】
そして、第１〜第４の領域１０ａ〜１０ｄの角部１１ａ〜１１ｄ側には、それぞれセンサ装置３の受光素子１２が幾分基板８の外方側の方向に向くようにして配設されている。この受光素子１２は、例えばフォトダイオードを有して形成され、外部情報としての人体から放射される赤外線を受光して人体を検出する。すなわち、センサ装置３は、人感センサ装置であり、各照明器具２の第１〜第４の領域１０ａ〜１０ｄ毎に、人体検出の有無に応じた制御信号を制御装置４に出力するように形成されている。  
【００３７】
そして、照明器具２は、図３に示すように、天井９に複数の列状にそれぞれ所定間隔を有して配設されている。すなわち、複数個の照明器具２は、天井面９ａに格子状に配置され、天井面９ａにおいて、一の照明器具２の第１の領域１０ａおよび第４の領域１０ｄが隣り合う列状の照明器具２の第２の領域１０ｂおよび第３の領域１０ｃにそれぞれ正対している。また、各照明器具２は、第１〜第４の領域１０ａ〜１０ｄで包囲される室内空間１３を当該第１〜第４の領域１０ａ〜１０ｄのそれぞれの光源６がそれぞれ照明することのできる間隔で配置されている。  
【００３８】
制御装置４は、天井９の裏側に配設され、図１に示すように、各照明器具２のセンサ装置３および点灯装置７に接続されている。センサ装置３は、第１〜第４の領域１０ａ〜１０ｄの受光素子１２が人体を検出すると、照明器具２および受光素子１２のそれぞれのアドレスを付与した人体検出の制御信号を制御装置４に出力する。制御装置４は、当該アドレスの照明器具２の点灯装置７に受光素子１２のアドレスを付与した点灯制御信号を出力する。点灯装置７は、商用交流電源Ｖｓを所定の直流電源に変換し、受光素子１２が配設された第１〜第４の領域１０ａ〜１０ｄの光源６に所定の定電流を供給する。これにより、光源６は、点灯し、可視光例えば白色光を放射する。  
【００３９】
また、制御装置４は、センサ装置３からの前記制御信号が所定期間例えば５分に亘って入力されないと、前記制御信号に付与されたアドレスの照明器具２の点灯装置７に、受光素子１２のアドレスを付与した調光制御信号を出力する。点灯装置７は、受光素子１２が配設された第１〜第４の領域１０ａ〜１０ｄの光源６に予め設定された下限の調光率で点灯するような定電流を供給する。これにより、光源６は、調光制御される。このように、制御装置４は、センサ装置３から出力された制御信号に応じて、照明器具２の光源６の点灯状態を第１〜第４の領域１０ａ〜１０ｄ毎に制御可能に形成されている。  
【００４０】
そして、制御装置４は、人体を検出した受光素子１２が配設された第１〜第４の領域１０ａ〜１０ｄの光源６が照明する室内空間１３を包囲する４個の照明器具２および当該室内空間１３を包囲する第１〜第４の領域１０ａ〜１０ｄを選択し、当該室内空間１３が所定の照度例えば７５０ルクス（ｌｘ）となるように、４個の照明器具２の各点灯装置７を介して、当該室内空間１３を包囲する第１〜第４の領域１０ａ〜１０ｄの光源６の点灯状態を連動して制御するように形成されている。すなわち、各照明器具２は、人の在席、不在席に係らず、所定の調光率で所定の設計照度（例えば３００ルクス（ｌｘ））を確保するように配設され、この調光率と設計照度との関係が確保されていれば、所望の室内空間１３における必要照度を達成するために必要な調光率は、演算可能となる。  
【００４１】
次に、本発明の実施例１の作用について述べる。  
【００４２】
図４において、照明装置１は、室内の壁Ｗａ１，Ｗａ２側に配置されている照明器具２ａ〜２ｄを示している。すなわち、照明器具２ａ，２ｂは、壁Ｗａ１側に列状に配設され、照明器具２ａ，２ｃは、壁Ｗａ２側に配設されている。  
【００４３】
照明装置１は、例えば、照明器具２ａの第３の領域１０ｃに配設されている受光素子１２が人体を検出すると、センサ装置３は、照明器具２ａおよび第３の領域１０ｃのそれぞれのアドレスを付与した制御信号を制御装置４に出力する。  
【００４４】
制御装置４は、照明器具２ａの第３の領域１０ｃに配設されている光源６により照明される室内空間１３ａを包囲する照明器具２ａ，２ｂ，２ｃ，２ｄおよびそれらの照明器具２ａ，２ｂ，２ｃ，２ｄにおいて室内空間１３ａを包囲する領域１０ｃ，１０ｂ，１０ｄ，１０ａを求めるとともに、室内空間１３ａを所定の照度例えば７５０ルクス（ｌｘ）で照明する光源６の調光率を演算する。なお、ここでは、予め設定した調光率で点灯制御してもよい。  
【００４５】
そして、制御装置４は、室内空間１３ａを包囲する照明器具２ａ〜２ｄの各点灯装置７に、それらの照明器具２ａ〜２ｄにおいて室内空間１３ａを包囲する第１〜第４の領域１０ａ〜１０ｄのアドレスとともに光源６の調光率を付与した調光信号を出力する。点灯装置７は、調光信号に付与された第１〜第４の領域１０ａ〜１０ｄの光源６を調光信号に付与された調光率で点灯制御する。図４および図５中、光源６が点灯している第１〜第４の領域１０ａ〜１０ｄは、斜線部分で示す。そして、室内空間１３ａを包囲する第１〜第４の領域１０ａ〜１０ｄの各光源６は、それぞれ室内空間１３ａを広角配光で照明するとともに１８７．５ルクス（ｌｘ）で照明する。これにより、室内空間１３ａは、所定の照度７５０ルクス（ｌｘ）で照明されるようになる。  
【００４６】
また、照明装置１は、例えば照明器具２ａの第４の領域１０ｄに配設されている受光素子１２が人体を検出すると、センサ装置３は、照明器具２ａおよび第４の領域１０ｄのそれぞれのアドレスを付与した制御信号を制御装置４に出力する。制御装置４は、照明器具２ａ，２ｂが室内空間１３の壁Ｗａ１側に配設されているので、照明器具２ａの第４の領域１０ｄに配設されている光源６により照明される室内空間１３ｂを壁Ｗａ１とともに包囲する照明器具２ａ，２ｂおよびこの照明器具２ａ，２ｂおいて室内空間１３ｂを壁Ｗａ１とともに包囲する領域１０ｄ，１０ａを求めるとともに、室内空間１３ｂを所定の照度例えば７５０ルクス（ｌｘ）で照明するように光源６の調光率を演算する。  
【００４７】
そして、制御装置４は、室内空間１３ｂを壁Ｗａ１とともに包囲する照明器具２ａ，２ｂの各点灯装置７に、照明器具２ａ，２ｂにおいて室内空間１３ｂを壁Ｗａ１とともに包囲する第４の領域１０ｄおよび第１の領域１０ａのそれぞれのアドレスとともに光源６の調光率を付与した調光信号を出力する。点灯装置７は、調光信号に付与された第４の領域１０ｄおよび第１の領域１０ａの各光源６を調光信号に付与された調光率で点灯制御する。第１および第４の領域１０ａ，１０ｄの各光源６は、それぞれ室内空間１３ｂを広角配光で照明するとともに３７５ルクス（ｌｘ）で照明する。これにより、室内空間１３ｂは、所定の照度７５０ルクス（ｌｘ）で照明されるようになる。  
【００４８】
また、照明装置１は、照明器具２ａの第１の領域１０ａに配設されている受光素子１２が人体を検出すると、センサ装置３は、照明器具２ａおよび第１の領域１０ａのそれぞれのアドレスを付与した制御信号を制御装置４に出力する。制御装置４は、照明器具２ａが室内空間１３の両壁Ｗａ１，Ｗａ２の角部側に配設されているので、照明器具２ａの第１の領域１０ａに配設されている光源６により照明される室内空間１３ｃを所定の照度例えば７５０ルクス（ｌｘ）で照明するように光源６の調光率を演算する。  
【００４９】
そして、制御装置４は、照明器具２ａの点灯装置７に第１の領域１０ａのアドレスとともに光源６の調光率を付与した調光信号を出力する。点灯装置７は、調光信号に付与された第１の領域１０ａの光源６を調光信号に付与された調光率で点灯制御する。第１の領域１０ａの光源６は、室内空間１３ｃを広角配光で照明するとともに所定の照度７５０ルクス（ｌｘ）で照明する。ここで、第１〜第４の領域１０ａ〜１０ｄに配設されている各光源６は、それぞれ室内空間１３の全域を広角配光で照明するものであるが、隣り合う室内空間１３の一部も照明するものである。  
【００５０】
そして、制御装置４は、例えば照明器具２ａ，２ｂ，２ｃ，２ｄの第３，第４，第１，第２の領域１０ｃ，１０ｂ，１０ｄ，１０ａに配設されているそれぞれの受光素子１２が所定期間例えば５分に亘って人体を検出しないと、照明器具２ａ〜２ｄの各点灯装置７に、それぞれ第３，第２，第４，第１の領域１０ｃ，１０ｂ，１０ｄ，１０ａのアドレスとともに光源６を下限の調光率で制御させる調光信号（下限調光制御信号）を出力する。  
【００５１】
点灯装置７は、調光信号に付与されたアドレスを有する第１〜第４の領域１０ａ〜１０ｄの光源６を調光制御するように電流を供給する。これにより、光源６は、下限の調光率で点灯し、図５に示すように、室内空間１３ａは、照明器具２ａ，２ｂ，２ｃ，２ｄの第３，第２，第４，第１の領域１０ｃ，１０ｂ，１０ｄ，１０ａに配設されているそれぞれの光源６により所定の設計照度で照明される。  
【００５２】
なお、室内空間１３を包囲する第１〜第４の領域１０ａ〜１０ｄのアドレスは、個々に異なっていてもよいが、室内空間１３を、この室内空間１３を包囲する全ての第１〜第４の領域１０ａ〜１０ｄのそれぞれの光源６でかつ同一の調光率で照明するときには、それらの第１〜第４の領域１０ａ〜１０ｄのアドレスを同一としてもよい。これにより、制御装置４は、調光率の演算や調光信号へのアドレス設定などが容易となって、光源６に対する制御動作を簡素にかつ迅速に行うことができる。  
【００５３】
上述したように、照明装置１は、室内空間１３を包囲する第１〜第４の領域１０ａ〜１０ｄに配設されている光源６の点灯状態が連動して制御されることにより、室内空間１３が所定の照度例えば７５０ルクス（ｌｘ）となっているものである。したがって、室内空間１３に複数個の作業机を設置することができて、各作業者に対応したタスク照明を設けるものではなく、作業者が増加しても作業者に対応したタスク照明を設けなくすることができるので、省電力化を向上させることができるとともに、レイアウト変更にも容易に対応することができる。  
【００５４】
また、第１〜第４の領域１０ａ〜１０ｄの各光源６は、それぞれ広角配光で互いに異なる方向から室内空間１３の全域を照明するので、作業机の作業面やパソコン等に作業者の影が映りにくくなっている。したがって、照明装置１は、照明環境の快適性を向上さ
せることができる。  
【００５５】
なお、制御装置４は、室内空間１３を所定の照度例えば７５０ルクス（ｌｘ）に制御することに限らず、時間帯、外光や室内空間１３の在席数などの状況に応じて、光源６を調光制御し、室内空間１３の照度（明るさ）を増減するように形成してもよい。  
【００５６】
また、制御装置４は、室内空間１３に人が不在席となったときには、室内空間１３が低照度例えば３００ルクス（ｌｘ）となるように光源６を調光点灯させるようにしてもよいし、光源６を消灯してもよい。  
【００５７】
また、照明器具２の第１〜第４の領域１０ａ〜１０ｄのそれぞれの光源６は、例えば第１〜第４の領域１０ａ〜１０ｄ毎に異なる色温度光を放射するものであってもよい。例えば、光源としてのＬＥＤチップ６は、電球色や昼白色などの少なくとも２種類の異なる色光を放射するいずれかが第１〜第４の領域１０ａ〜１０ｄ毎に配設される。そして、制御装置４は、第１〜第４の領域１０ａ〜１０ｄ毎に光源６の調光率を変化させる。これにより、室内空間１３を照明する色光が変化し、室内空間１３を演色させることができる。  
【００５８】
また、照明器具２が天井面９ａに千鳥状に配設されるときには、例えば３個の照明器具２により包囲される室内空間が所定の照度となるように、当該室内空間を包囲する第１〜第４の領域１０ａ〜１０ｄの光源６の点灯状態を連動して制御するとよいものである。  
【００５９】
さらに、センサ装置３は、人感センサ装置に形成したが、リモコン装置から送信された無線信号（制御信号）を受信する受信装置であってもよい。この場合、リモコン装置からの制御信号に応じて、照明器具２の光源６の点灯状態が第１〜第４の領域１０ａ〜１０ｄ毎に個別に制御される。  
【００６０】
また、センサ装置３は、受光素子１２が例えば室内空間１３の照度（明るさ）を検出する照度センサ装置であってもよい。この場合、制御装置４は、室内空間１３が所定の照度例えば７５０ルクス（ｌｘ）となるように照明器具２の各領域１０ａ〜１０ｄの光源６の点灯状態を連動して制御するものである。
【実施例２】
【００６１】
図６は、本発明の実施例２を示す照明装置の概略ブロック図である。なお、図１と同一部分には、同一符号を付して説明は省略する。  
【００６２】
図６に示す照明装置１Ａは、図１に示す照明装置１において、照明器具２の第１〜第４の領域１０ａ〜１０ｄにそれぞれ図示しないリモコン装置からの照明制御信号（無線信号）を受信する受光素子１２Ａが配設されている。また、制御装置４Ａは、照明器具２毎に設けられ、それぞれの器具本体５に配設されているものである。  
【００６３】
リモコン装置から送信された照明制御信号は、受光素子１２Ａにより受信されてセンサ装置３を介して制御装置４Ａに送信される。制御装置４Ａは、当該照明制御信号を受信した受光素子１２Ａが配設されている第１〜第４の領域１０ａ〜１０ｄのアドレスとともに、当該照明制御信号に応じた調光信号を点灯装置７に出力する。点灯装置７は、調光信号に付与されたアドレスを有する第１〜第４の領域１０ａ〜１０ｄの光源６を調光信号の調光率で点灯制御する。  
【００６４】
そして、制御装置４Ａは、通常、前記照明制御信号を受信した受光素子１２Ａが配設されている第１〜第４の領域１０ａ〜１０ｄが包囲する室内空間１３の照度が所定の照度例えば７５０ルクス（ｌｘ）となるように、光源６の調光率を演算して求めるように形成されている。例えば、図４に示す照明器具２ａの第１の領域１０ａの光源６のように、当該光源６のみで室内空間１３ａを所定の照度７５０ルクス（ｌｘ）で照明する。  
【００６５】
そして、前記照明制御信号に付与されている照明器具２の数量を示す特定信号に応じて、光源６の調光率を演算して求めるように形成されている。例えば、特定信号に照明器具の数量２が付与されていると、室内空間１３を３７５ルクス（ｌｘ）で照明する調光率を演算して求めるものである。また、特定信号に照明器具の数量４が付与されていると、室内空間１３を１８７．５ルクス（ｌｘ）で照明する調光率を演算して求めるものである。  
【００６６】
室内空間１３に在席する人は、当該室内空間１３を包囲する照明器具２に対して当該室内空間１３を照明する照明器具２を選択して、選択した照明器具２に対して室内空間１３を包囲する第１〜第４の領域１０ａ〜１０ｄの受光素子１２Ａに向かって、照明制御信号を無線送信する。当該照明制御信号には、光源６を点消灯または調光点灯させる制御信号とともに、室内空間１３を照明する照明器具２の数量が前もって設定される。  
【００６７】
図４に示すように、例えば、室内空間１３ｂが２個の照明器具２ａ，２ｂで照明されるときには、室内空間１３ｂを包囲する照明器具２ａの第４の領域１０ｄおよび照明器具２ｂの第１の領域１０ａのそれぞれの光源６は、室内空間１３ｂをそれぞれ３７５ルクス（ｌｘ）で照明する。これにより、室内空間１３ｂは、所定の照度７５０ルクス（ｌｘ）で照明される。  
【００６８】
また、例えば、室内空間１３ａが４個の照明器具２ａ，２ｂ，２ｃ，２ｄで照明されるときには、室内空間１３ａを包囲する照明器具２ａ，２ｂ，２ｃ，２ｄの第３，第２，第４，第１の領域１０ｃ，１０ｂ，１０ｄ，１０ａのそれぞれの光源６は、室内空間１３ａをそれぞれ１８７．５ルクス（ｌｘ）で照明する。これにより、室内空間１３ａは、所定の照度７５０ルクス（ｌｘ）で照明される。  
【００６９】
このように、照明装置１Ａは、リモコン装置から照明制御信号を送信することにより、照明器具２の各領域１０ａ〜１０ｄの光源６の点灯状態を個別に制御することができるとともに、照明器具２の各領域１０ａ〜１０ｄで包囲される室内空間１３が所定の照度例えば７５０ルクス（ｌｘ）となるように各領域１０ａ〜１０ｄの光源６の点灯状態が連動して制御できるものであり、実施例１の照明装置１と同様の作用、効果を得ることができる。  
【００７０】
また、照明装置１Ａは、照明器具２毎に制御装置４Ａを具備するので、複数個の照明器具２と制御装置４Ａとの間で信号線を引き回す必要がなく、また、天井９に照明器具２を配設するのみであるので、汎用性が向上するものである。
【実施例３】
【００７１】
図７ないし図１３は、本発明の実施例３を示し、図７は照明装置の概略ブロック図、図８は第１および第２の照明器具の概略斜視図、図９は第１および第２の照明器具の配置図、図１０は照明装置の第１の制御を示す説明図、図１１は照明装置の第２の制御を示す説明図、図１２は照明装置の第３の制御を示す説明図、図１３は照明装置の第４の制御を示す説明図である。なお、図１および図２と同一部分には、同一符号を付して説明は省略する。  
【００７２】
図７において、照明装置１４は、第１の照明器具１５、第２の照明器具１６、センサ装置３および制御装置４Ｂを有して構成されている。第１の照明器具１５は、複数個からなり、それぞれ器具本体１７に光源１８、この光源１８を点灯制御する点灯装置１９，センサ装置３および第２の照明器具１６の光源６を点灯制御する点灯装置７を配設している。  
【００７３】
器具本体１７は、図８に示すように、略箱状に形成され、その内部に中間に山形を成す湾曲状に形成された反射板２０を配設し、両側板２１，２１にランプソケット２２，２２を配設している。そして、ランプソケット２２，２２に光源としての直管形蛍光ランプ１８，１８を取り付けている。この蛍光ランプ１８，１８は、点灯することにより、可視光例えば白色光を放射する。また、センサ装置３、点灯装置７および点灯装置１９は、器具本体１７の開口部２３と反対側の例えば天板に取り付けられている。  
【００７４】
第２の照明器具１６は、第１の照明器具１５の開口部２３の周辺に第１の照明器具１５と一体化するように設けられた４個に形成されている。４個の第２の照明器具１６ａ〜１６ｄは、それぞれ平坦状の金属例えばアルミニウム（Ａｌ）からなる基板２４およびこの基板２４の表面２４ａに図示しない絶縁層を介して整列的に実装された多数の光源としてのＬＥＤ（発光ダイオード）チップ６を有して形成されている。  
【００７５】
また、第２の照明器具１６ａ〜１６ｄは、器具本体１７の中心Ａ１に対して回転対称となる領域に形成され、本実施形態では、器具本体１７の中心Ａ１に対して４分割された領域を有し、２回回転対称となる一対の領域を２つ具備している。基板２４は、器具本体１７に図示しない取付部材により固定されている。そして、基板２４の表面２４ａおよび第１の照明器具１５の開口部２３が天井面９ａと略面一となるようにして、第１および第２の照明器具１５，１６は、天井９に埋設されている。  
【００７６】
光源であるＬＥＤチップ６は、可視光例えば白色光を放射するように形成されている。また、ＬＥＤチップ６は、主として基板２４の外方側の方向に向かって光を放射するように形成されている。すなわち、ＬＥＤチップ６は、室内空間を広角配光で照明する。そして、多数のＬＥＤチップ６は、図示しない配線パターンにより直列接続または直並列接続されて点灯装置７に接続されており、点灯装置７により点灯制御される。  
【００７７】
そして、第２の照明器具１６ａ〜１６ｄのそれぞれの角部１１ａ〜１１ｄ側には、それぞれセンサ装置３の受光素子１２が幾分基板２４の外方側の方向に向くようにして配設されている。この受光素子１２は、例えばフォトダイオードを有して形成され、外部情報としての人体から放射される赤外線を受光して人体を検出する。すなわち、センサ装置３は、人感センサ装置であり、第２の照明器具１６ａ〜１６ｄは、それぞれ人体検出の有無に応じた制御信号を制御装置４Ｂに出力する。  
【００７８】
そして、第１の照明器具１５は、図９に示すように、天井９に複数の列状に所定間隔を有して配設されている。すなわち、複数個の第１の照明器具１５は、天井面９ａに格子状に配置され、天井面９ａにおいて、第２の照明器具１６ａ，１６ｄが、隣り合う第１の照明器具１５の列の第２の照明器具１６ｂ，１６ｃにそれぞれ正対している。また、第１の照明器具１５は、室内空間２５を包囲する第２の照明器具１６ａ〜１６ｄに設けられたそれぞれの光源（ＬＥＤチップ）６が室内空間２５を照明することのできる間隔で配置されている。そして、個々の第１の照明器具１５は、その周囲の照明空間２６を照明する。複数個の第１の照明器具１５は、室内の空間の全般（全域）を照明する。すなわち、室内空間２５は、照明空間２６の４分割されたうちの一つがそれぞれ４つ集まって構成される。  
【００７９】
制御装置４Ｂは、例えば天井９の裏側に配設されており、図７に示すように、各第１の照明器具１５に配設されているセンサ装置３、点灯装置７および点灯装置１９に接続されている。また、制御装置４Ｂは、図示しない壁スイッチ装置に接続されている。そして、壁スイッチ装置から出力された点灯操作信号または消灯操作信号を入力すると、そのアドレスに応じた第１の照明器具１５の点灯装置１９に点灯制御信号または消灯制御信号を出力する。  
【００８０】
点灯装置１９は、点灯制御信号が入力されると、商用交流電源Ｖｓを直流電源に変換し、さらに当該直流電源を高周波交流電圧に変換して光源である蛍光ランプ１８，１８に印加する。蛍光ランプ１８，１８は、高周波点灯し、可視光例えば白色光を放射する。第１の照明器具１５の周辺の照明空間２６は、第１の照明器具１５によって所定照度例えば３００ルクス（ｌｘ）で照明される。そして、点灯装置１９は、消灯制御信号が入力されると、高周波交流電圧の出力を停止する。これにより、蛍光ランプ１８，１８は、消灯する。第１の照明器具１５の周辺の室内空間２６は、第１の照明器具１５（蛍光ランプ１８，１８）により照明されなくなる。  
【００８１】
センサ装置３は、第２の照明器具１６ａ〜１６ｄの受光素子１２が人体を検出すると、その第２の照明器具１６のアドレスを付与した人体検出の制御信号を制御装置４Ｂに出力する。制御装置４Ｂは、当該アドレスの第２の照明器具１６の点灯装置７に点灯制御信号を出力する。点灯装置７は、
商用交流電源Ｖｓを所定の直流電源に変換し、光源であるＬＥＤチップ６に所定の定電流を供給する。これにより、ＬＥＤチップ６は、点灯し、可視光例えば白色光を放射する。ＬＥＤチップ６から放射された可視光により、室内空間２５が照明される。  
【００８２】
そして、制御装置４Ｂは、センサ装置３からの人体検出の制御信号が所定期間例えば５分に亘り入力されないと、当該制御信号に付与されたアドレスの第２の照明器具１６の点灯装置７に消灯制御信号を出力する。点灯装置７は、光源（ＬＥＤチップ）６に定電流を供給することを停止する。これにより、光源６は、消灯する。このように、制御装置４Ｂは、センサ装置３から出力された制御信号に応じて、第２の照明器具１６の光源６の点灯状態を個別に制御可能に形成されている。  
【００８３】
そして、制御装置４Ｂは、人体を検出した受光素子１２が配設された第２の照明器具１６の光源６が照明する室内空間２５を包囲する４個の第１の照明器具１５および当該室内空間２５を包囲する４個の第２の照明器具１６ａ〜１６ｄを選択し、当該室内空間２５が所定の照度例えば７５０ルクス（ｌｘ）となるように、それぞれ４個の第１および第２照明器具１５，１６の各点灯装置７，１９を介して、当該室内空間２５を包囲する第１の照明器具１５の光源（蛍光ランプ）１８，１８および第２の照明器具１６ａ〜１６ｄの光源（ＬＥＤチップ）６の点灯状態を連動して制御するように形成されている。  
【００８４】
次に、本発明の実施例３の作用について述べる。  
【００８５】
図１０において、例えば、隣り合う列状の第１の照明器具１５ａ，１５ｂ，１５ｄの周辺の照明空間２６ａ，２６ｂ，２６ｄには、人が出入りして作業をし、第１の照明器具１５ｅの周辺の室内空間２６ｅには、人が出入りしないものとする。この場合、壁スイッチ装置のスイッチ操作により、第１の照明器具１５ａ，１５ｂ，１５ｄが点灯制御され、第１の照明器具１５ｅが消灯制御される。これにより、第１の照明器具１５ａ，１５ｂ，１５ｄの周辺の室内空間２６ａ，２６ｂ，２６ｄは、第１の照明器具１５ａ，１５ｂ，１５ｄによりそれぞれ３００ルクス（ｌｘ）で照明され、第１の照明器具１５ｅの周辺の室内空間２６ｅは、第１の照明器具１５ｅにより照明されなくなる。  
【００８６】
そして、例えば、第１の照明器具１５ａに一体化している第２の照明器具１６ｃに配設されている受光素子１２が人体を検出すると、第１の照明器具１５ａに配設されているセンサ装置３は、第１の照明器具１５ａおよび第２の照明器具１６ｃのそれぞれのアドレスを付与した制御信号を制御装置４Ｂに出力する。制御装置４Ｂは、第２の照明器具１６ｃの光源６により照明される室内空間２５を包囲する第１の照明器具１５ａ，１５ｂ，１５ｄ，１５ｅおよびそれらの第１の照明器具１５ａ，１５ｂ，１５ｄ，１５ｅにおいて室内空間２５を包囲する第２の照明器具１６ｃ，１６ｂ，１６ｄ，１６ａを求めるとともに、室内空間２５を第１の照明器具１５ａ，１５ｂ，１５ｄによる照度分３００ルクス（ｌｘ）を加算して所定の照度例えば７５０ルクス（ｌｘ）で照明する光源６の調光率を演算する。  
【００８７】
そして、制御装置４Ｂは、室内空間２５を包囲する第２の照明器具１６ａ〜１６ｄの各点灯装置７に光源６の調光率を付与した調光信号を出力する。点灯装置７は、当該調光率で光源６を点灯制御する。図１０中、光源６が点灯している第２の照明器具１６ａ〜１６ｄは、斜線部分で示す。そして、第２の照明器具１６ａ〜１６ｄの各光源６は、それぞれ室内空間２５を広角配光で照明するとともに１１２．５ルクス（ｌｘ）で照明する。室内空間２５は、４個の第２の照明器具１６ａ〜１６ｄにより４５０ルクス（ｌｘ）で照明される。  
【００８８】
そして、室内空間２５のうち、照明空間２６ａ，２６ｂ、２６ｄと重なり合う部分は、第１の照明器具１５ａ，１５ｂ，１５ｄからも照明されるので、それらの３００ルクス（ｌｘ）の照度が加算されて、所定の照度７５０ルクス（ｌｘ）で照明される。室内空間２５と照明空間２６ｅの重なり合う部分は、第２の照明器具１６ａ〜１６ｄによる４５０ルクス（ｌｘ）の照度で照明される。  
【００８９】
また、制御装置４Ｂは、図１１に示すように、室内空間２５を第１の照明器具１５ａ，１５ｂ，１５ｄにそれぞれ一体化している第２の照明器具１６ｃ，１６ｂ，１６ｄにより、所定の照度７５０ルクス（ｌｘ）で照明させるようにしてもよい。第２の照明器具１６ｃ，１６ｂ，１６ｄのそれぞれの光源６は、それぞれ室内空間２５を１５０ルクス（ｌｘ）で照明する。  
【００９０】
また、制御装置４Ｂは、第１の照明器具１５ａに一体化している第２の照明器具１６ｃに配設されている受光素子１２が人体を検出すると、当該第２の照明器具１６ｃに室内空間２５を第１の照明器具１５ａ，１５ｂ，１５ｄによる照度分を加算して所定の照度例えば７５０ルクス（ｌｘ）で照明する光源６の調光率を付与した調光信号を出力してもよい。第２の照明器具１６ｃの点灯装置７は、当該調光率で光源６を点灯制御する。これにより、図１２に示すように、第２の照明器具１６ｃは、室内空間２５を４５０ルクス（ｌｘ）で照明し、室内空間２５と室内空間２６ａ，２６ｂ，２５ｄの重なり合う部分を所定の照度７５０ルクス（ｌｘ）とする。  
【００９１】
なお、第２の照明器具１６ｃ，１６ｂ，１６ｄによって室内空間２５全体を所定の照度７５０ルクス（ｌｘ）となるように制御してもよい。  
【００９２】
また、第１の照明器具１５ａ〜１５ｄの各光源１８，１８は、それぞれ照明空間２６ａ〜２６ｄの全域を照明するものであるが、隣り合う照明空間２６の一部も照明するものである。また、第２の照明器具１６ａ〜１６ｄは、室内空間２５の全域を広角配光で照明するものであるが、隣り合う室内空間２５の一部も照明するものである。  
【００９３】
制御装置４Ｂは、図１３に示すように、隣接する室内空間２５ａ，２５ｂをそれぞれ所定の照度７５０ルクス（ｌｘ）で照明させるとき、上記の照明の重なりを演算し、室内空間２５ａ，２５ｂに隣接する第１の照明器具１５ｂ，１５ｅがそれぞれの照明空間２６ｂ，２６ｅをそれぞれ例えば２５０ルクス（ｌｘ）で照明し、室内空間２５ａ，２５ｂの両端側に位置する第１の照明器具１５ａ，１５ｃ，１５ｄ，１５ｆがそれぞれの照明空間２６ａ，２６ｃ，２６ｄ，２６ｆをそれぞれ例えば２８０ルクス（ｌｘ）で照明するように、第１の照明器具１５ａ〜１５ｆのそれぞれの光源（蛍光ランプ）１８，１８の点灯状態を制御してもよい。このように、制御装置４Ｂは、第２の照明器具１６で包囲される室内空間２５が所定の照度例えば７５０ルクス（ｌｘ）となるように、第１の照明器具１５の光源１８，１８の点灯状態を第２の照明器具１６の光源６の点灯状態に連動して制御することができる。  
【００９４】
上述したように、照明装置１４は、第１の照明器具１５により室内空間２６の全般が照明されるとともに、室内空間２５を包囲する第２の照明器具１６ａ〜１６ｄに配設されている光源６の点灯状態が連動して制御されることにより、作業者の在席する室内空間２５が所定の照度例えば７５０ルクス（ｌｘ）となっているものである。したがって、室内空間２５に複数個の作業机を設置することができて、各作業者に対応したタスク照明を設けるものではなく、作業者が増加しても作業者に対応したタスク照明を設けなくすることができるとともに、室内空間２６を照明する第１の照明器具１５の数量も増加させる必要がないので、省電力化を向上させることができるとともに、レイアウト変更にも容易に対応することができる。  
【００９５】
また、第２の照明器具１６の各光源６は、それぞれ各室内空間２５の全域を異なる角度で照明するので、作業机の作業面やパソコン等に作業者の影が映りにくくなっている。したがって、照明装置１４は、照明環境の快適性を向上させることができる。  
【００９６】
なお、第１の照明器具１５は、光源として蛍光ランプ１８，１８を具備する構成であるが、光源としてＬＥＤチップ（発光ダイオード）を使用した構成であってもよい。  
【００９７】
また、制御装置４Ｂは、第１の照明器具１５の光源１８，１８および各第２の照明器具１６の光源６をそれぞれ個別に調光点灯させて、室内空間２５を適宜の照度（明るさ）で照明させる構成であってもよい。  
【００９８】
また、照明装置１４は、第１の照明器具１５の光源１８，１８および第２の照明器具１６の光源６が互いに色光の異なるものとし、室内空間２５を照明する照明光の演出を図るようにしてもよい。
【実施例４】
【００９９】
図１４および図１５は、本発明の実施例４を示し、図１４は照明装置の第１および第２の照明器具の概略斜視図、図１５は照明装置の制御を示す説明図である。なお、図８と同一部分には同一符号を付して説明は省略する。  
【０１００】
図１４に示す照明装置２７は、図８に示す照明装置１４において、第１の照明器具１５の光源１８Ａ，１８Ａとして高色温度例えば５０００Ｋ以上である昼光色の光を放射する直管形蛍光ランプを使用し、第２の照明器具１６の光源６Ａとして低色温度例えば３０００Ｋ以下の電球色の光を放射するＬＥＤチップが使用されたものである。すなわち、照明装置１４において、第１および第２の照明器具１５，１６は、相関色温度が異なる光源１８Ａ，６Ａを配設し、第１の照明器具１５が第２の照明器具１６よりも高色温度の光源１８Ａ，１８Ａを配設するようにしたものである。  
【０１０１】
そして、制御装置４Ｂは、壁スイッチ装置のスイッチ操作に応じて第１の照明器具１５の蛍光ランプ１８Ａ，１８Ａを点灯制御するときには、当初、室内空間２６が例えば６００ルクス（ｌｘ）となるように蛍光ランプ１８Ａ，１８Ａを点灯させる。そして、第２の照明器具１６に配設している受光素子１２が人体を検出すると、当初、室内空間２５が例えば１５０ルクス（ｌｘ）となるようにＬＥＤチップ６Ａを点灯させる。これにより、作業者が在席する室内空間２５は、所定の照度７５０ルクス（ｌｘ）で照明される。  
【０１０２】
この後、制御装置４Ｂは、図１５に示すように、室内空間２５が所定の照度７５０ルクス（ｌｘ）となるようにして、一定期間例えば１時間に亘って、第１の照明器具１５の蛍光ランプ１８Ａ，１８Ａの出力を徐々に低下させ、第２の照明器具１６のＬＥＤチップ６Ａの出力を徐々に増加させる。そして、一定期間が経過した以降では、室内空間２６を第１の照明器具１５により３００ルクス（ｌｘ）で照明し、室内空間２５を第２の照明器具１６により４５０ルクス（ｌｘ）で照明するものである。  
【０１０３】
照明装置２７は、第１の照明器具１５の蛍光ランプ１８Ａ，１８Ａが点灯開始した一定期間例えば１時間の前半（０〜４０分）では、室内空間２５を照明する全光量に対する第１の照明器具１５の高色温度の蛍光ランプ１８Ａ，１８Ａからの放射光の光量比率が大きいので、視環境における見えやすさが向上される。そして、一定期間例えば１時間の後半（４０〜６０分）および一定期間の経過した以降では、室内空間２５を照明する全光量に対する第２の照明器具１６の低色温度の光源であるＬＥＤチップ６Ａからの放射光の光量比率が大きくなるので、視環境における目の疲労が軽減されるようになる。  
【０１０４】
したがって、短時間の視作業においては、高色温度光の照明下で被対象物を視認することができ、長時間の視作業においては、低色温度光の照明下で被対象物を視認することができるので、照明装置２７は、被対象物に対する見えやすさと目の疲労の軽減を両立した照明環境を提供することができる。  
【０１０５】
なお、一定期間の経過後は、室内空間２５を第２の照明器具１６のみで所定の照度７５０ルクス（ｌｘ）で照明するようにしてもよい。また、第１の照明器具１５は、蛍光ランプ１８Ａ，１８Ａに代えて、高色温度の光源として高色温度の光を放射するＬＥＤチップ（発光ダイオード）を使用した構成であってもよい。  
【０１０６】
さらに、第１の照明器具１５または第２の照明器具１６の少なくとも一方に相関色温度の異なる光源を配設し
、相関色温度を可変とする構成とし、第１および第２の照明器具１５，１６の調光率を維持した状態で高色温度と低色温度の出力を変化させてもよい。
【産業上の利用可能性】
【０１０７】
本発明は、天井等の造営物に配設される埋込形照明器具、直付け形照明器具および吊り下げ形照明器具を備える照明装置に用いることができる。
【符号の説明】
【０１０８】
１，１Ａ，１４，２７…照明装置、  ２…照明器具、  ３…センサ装置、  ４，４Ａ，４Ｂ…制御装置、  １５…第１の照明器具、  １６…第２の照明器具、  ２８Ａ，２８Ａ…高色温度の光源
【図１】
2010257872.tif 000003
【図２】
2010257872.tif 000004
【図３】
2010257872.tif 000005
【図４】
2010257872.tif 000006
【図５】
2010257872.tif 000007
【図６】
2010257872.tif 000008
【図７】
2010257872.tif 000009
【図８】
2010257872.tif 000010
【図９】
2010257872.tif 000011
【図１０】
2010257872.tif 000012
【図１１】
2010257872.tif 000013
【図１２】
2010257872.tif 000014
【図１３】
2010257872.tif 000015
【図１４】
2010257872.tif 000016
【図１５】
2010257872.tif 000017